(57)【要約】【課題】既存に設けられた複数の接続部の配置に影響を与えることなく、ＵＳＢを収容可能な収容部を備える情報処理装置を提供すること。【解決手段】情報処理装置は、ＵＳＢコネクタを有するＵＳＢ本体の少なくとも一部を収容可能な収容部と、前記収容部と連通し、前記ＵＳＢ本体を前記収容部に挿入可能な挿入口と、前記収容部に設けられ、前記ＵＳＢコネクタと接続可能なコネクタ部と、前記収容部に設けられ、前記コネクタ部を前記ＵＳＢ本体の挿脱方向に移動可能に支持する移動支持部と、を備える。【選択図】図１
2010113493.tif 000002
【特許請求の範囲】
【請求項１】
ＵＳＢコネクタを有するＵＳＢ本体の少なくとも一部を収容可能な収容部と、
前記収容部と連通し、前記ＵＳＢ本体を前記収容部に挿入可能な挿入口と、
前記収容部に設けられ、前記ＵＳＢコネクタと接続可能なコネクタ部と、
前記収容部に設けられ、前記コネクタ部を前記ＵＳＢ本体の挿脱方向に移動可能に支持する移動支持部と、を備える情報処理装置。
【請求項２】
前記収容部の内部を移動する前記コネクタ部を前記挿脱方向における所定の位置で係止させる係止部を更に備える請求項１に記載の情報処理装置。
【請求項３】
前記収容部に収容された前記ＵＳＢ本体を前記収容部から外部に排出可能なイジェクト機構を更に備える請求項１又は２に記載の情報処理装置。
【発明の詳細な説明】
【技術分野】
【０００１】
本発明は、パーソナルコンピュータ等の情報処理装置に関し、特には、ＵＳＢデバイスを接続可能なＵＳＢポートを備える情報処理装置に関する。
【背景技術】
【０００２】
近年、パーソナルコンピュータやＰＤＡ（Ｐｅｒｓｏｎａｌ  Ｄｉｇｉｔａｌ  Ａｓｓｉｓｔａｎｔ）等の情報処理装置には、ＵＳＢデバイスやＵＳＢメモリ等（以下、「ＵＳＢ」という）をインターフェースとするＵＳＢポートが設けられた機種が増加している。ＵＳＢは、情報処理装置の使用中であっても接続の変更が可能であり、異なる種類のデバイスにも共通で使用することが可能であるため、マウスやプリンタ等の多くの周辺機器の接続に好適に用いられている。
【０００３】
ところで、上述のＵＳＢは、通常パーソナルコンピュータ等に設けられるＵＳＢポートからその一部が突出した状態でパーソナルコンピュータ等に接続されている。そのため、例えば、ＵＳＢポートがパーソナルコンピュータ等の正面側に設けられている場合には、パーソナルコンピュータの使用の際に、ユーザが不用意にＵＳＢに接触してしまう場合があった。これにより、例えば、作業中にもかかわらずＵＳＢポートからＵＳＢが抜けてしまったり、不要な力がＵＳＢポートに作用してＵＳＢポートを破損させてしまったりするおそれがあるという問題があった。
【０００４】
これに対しては、例えば、ＵＳＢを接続させるＵＳＢポートにコネクタ回動部材を設け、ＵＳＢポートに接続されたＵＳＢをコネクタ回動部材により回動させることによりＵＳＢを対応する装置に収容させるＵＳＢポートが開示されている（例えば、特許文献１参照）。
【０００５】
特許文献１に記載のＵＳＢポートは、ＵＳＢを接続した後にコネクタ回動部材を回動させて対応する装置にＵＳＢを収容することにより、ＵＳＢが装置から突出した状態を回避可能になり、ＵＳＢの抜けやＵＳＢポートの破損等を防止している。
【特許文献１】特開２００３−５０６７１号公報
【発明の開示】
【発明が解決しようとする課題】
【０００６】
しかしながら、通常、パーソナルコンピュータ等には、ＵＳＢポート以外にも各種デバイスを接続させるための複数の接続部が設けられている。そのため、例えば、パーソナルコンピュータ等の複数の接続部が設けられている装置においては、ＵＳＢを回動させて装置の内部に収容させるための収容スペースを確保することが困難な場合があるという問題があった。また、例えば、ＵＳＢの本体の長さが異なる場合には、収容することができない場合があるという問題があった。
【０００７】
本発明は、上記問題に鑑みなされたものであって、既存に設けられた複数の接続部の配置に影響を与えることなく、種々のＵＳＢを収容可能な収容部を備える情報処理装置を提供することを目的とする。
【課題を解決するための手段】
【０００８】
本発明者らは、ＵＳＢポートに接続されたＵＳＢをＵＳＢの接続方向に収容可能な収容部を設けることにより、既存に設けられた複数の接続部の配置に影響を与えることなくＵＳＢを情報処理装置の内部に容易に収容可能であることを見出し、本発明を完成するに至った。具体的には、以下のような情報処理装置を提供することを目的とする。
【０００９】
（１）  ＵＳＢコネクタを有するＵＳＢ本体の少なくとも一部を収容可能な収容部と、前記収容部と連通し、前記ＵＳＢ本体を前記収容部に挿入可能な挿入口と、前記収容部に設けられ、前記ＵＳＢコネクタと接続可能なコネクタ部と、前記収容部に設けられ、前記コネクタ部を前記ＵＳＢ本体の挿脱方向に移動可能に支持する移動支持部と、を備える情報処理装置。
【００１０】
（２）  前記収容部の内部を移動する前記コネクタ部を前記挿脱方向における所定の位置で係止させる係止部を更に備える（１）に記載の情報処理装置。
【００１１】
（３）  前記収容部に収容された前記ＵＳＢ本体を前記収容部から外部に排出可能なイジェクト機構を更に備える（１）又は（２）に記載の情報処理装置。
【発明の効果】
【００１２】
本発明によれば、既存に設けられた複数の接続部の配置に影響を与えることなく、種々のＵＳＢを収容可能な収容部を備える情報処理装置を提供することができる。
【発明を実施するための最良の形態】
【００１３】
以下、本発明の実施形態について図面を参照しながら説明する。なお、本実施形態においては、情報処理装置としてノート型のパーソナルコンピュータ（以下、「ノート型パソコン」という。）を用いて説明する。
【００１４】
図１は、本発明の実施形態に係るノート型パソコンの外観構成を示す外観斜視図である。図２は、前記実施形態に係るノート型パソコンのＵＳＢポートを模式的に示す断面図である。図３は、前記実施形態に係るノート型パソコンのＵＳＢポートにＵＳＢメモリを収容した状態を模式的に示す断面図である。図４（ａ）は、第１係止溝で係止する雌コネクタを模式的に示す断面図であり、図４（ｂ）は、ＵＳＢメモリが接続された雌コネクタが収容部の内部を移動する状態を模式的に示す断面図であり、図４（ｃ）は、ＵＳＢメモリが接続された雌コネクタが第４係止溝で係止する状態を模式的に示す断面図である。図５（ａ）は、前記実施形態に係るＵＳＢポートを構成する雌コネクタを上方から見た外観斜視図であり、図５（ｂ）は、前記実施形態に係るＵＳＢポートを構成する雄コネクタを下方から見た外観斜視図である。
【００１５】
まず、本実施形態に係るノート型パソコン１の全体構成について説明する。
図１に示すように、ノート型パソコン１は、薄型の矩形箱状に形成されたパソコン本体１０と、パソコン本体１０よりも更に薄型の矩形箱状に形成された液晶ディスプレイ１１と、を備えて構成されている。
【００１６】
パソコン本体１０と液晶ディスプレイ１１とは、パソコン本体１０の背面１０ｃ側（ノート型パソコン１の使用状態における背面１０ｃ側。図１参照）の縁端部と液晶ディスプレイ１１の下端縁部（ノート型パソコン１の使用状態における下端部。図１参照）とがヒンジ機構を備えた連結部（図示せず）を介して、開閉軸Ｘを中心に開閉自在に連結されている。これにより、ノート型パソコン１は、連結部を介して連結された液晶ディスプレイ１１とパソコン本体１０とを相対的に動かすことが可能になる。言い換えると、ノート型パソコン１は、パソコン本体１０と液晶ディスプレイ１１とが連結部を介して開いた状態（開状態）と、パソコン本体１０と液晶ディスプレイ１１とが連結部を介して互いに重なり合う状態（閉状態）と、に変更可能になる。
【００１７】
なお、閉状態とは、パソコン本体１０と液晶ディスプレイ１１とが互いに重なるように折り畳まれた状態であり、持ち運び時や不使用時の状態を含む。また、開状態とは、パソコン本体１０と液晶ディスプレイ１１とが互いに重ならない状態であり、使用時における状態を含むものとする。
【００１８】
パソコン本体１０は、その上面１０ａにキーボード１２が配設されている。キーボード１２は、文字や数字等を入力するための入力操作キー１２ａや各種機能を作動させる機能設定キー１２ｂ等を備えて構成されている。
【００１９】
パソコン本体１０の正面１０ｂ（ノート型パソコン１の使用状態における正面１０ｂ。図１参照）には、一方側の端部に後に詳述するＵＳＢポート２が設けられている。ＵＳＢポート２は、雌コネクタ（コネクタ部）６を内部に備えて構成されている。雌コネクタ６には、ＵＳＢメモリＭの雄コネクタ（ＵＳＢコネクタ）Ｍ１が接続される。また、ＵＳＢポート２には、内部に、収容部５が設けられている。収容部５は、雌コネクタ６に接続されたＵＳＢメモリＭを収容可能に形成されている。
【００２０】
パソコン本体１０の一方側の側面には、後に詳述するＵＳＢ操作部（移動支持部）３と、ＣＤ−ＲＯＭ装置１３と、が設けられている。ＵＳＢ操作部３は、パソコン本体１０の正面１０ｂ側に設けられている。ＵＳＢ操作部３は、開口状に形成されており、パソコン本体１０の正面１０ｂに設けられた収容部５と連通している。つまり、ＵＳＢ操作部３は、収容部５と外部とを連通させている。ＵＳＢ操作部３には、ＵＳＢメモリＭの収容部５への挿入を案内するガイドレバー（移動支持部）６２が摺動可能に配置されている。
【００２１】
ＣＤ−ＲＯＭ装置１３は、パソコン本体１０の一方側の側面における背面１０ｃ側に設けられている。ＣＤ−ＲＯＭ装置１３は、ＣＤ−ＲＯＭ等の読み込み等を行う。
【００２２】
パソコン本体１０の他方側の側面には、外部メモリ等の挿入及び取り出しが行われるインターフェース（図示せず）と、外部機器（例えば、ホスト装置）と通信を行うためのインターフェース（図示せず）と、が配置されている。インターフェースは、不使用時にはキャップにより覆われて封止される。
【００２３】
液晶ディスプレイ１１には、文字や映像等の各種情報を表示するためのメイン表示部１１ａが設けられている。メイン表示部１１ａには、メイン液晶モジュール（図示せず）が配置されている。メイン液晶モジュールは、その一方の面に設けられたメイン表示部１１ａが、透明部分を主体とするフロントパネル（図示せず）を介して、液晶ディスプレイ１１に形成されたメイン表示部１１ａから液晶ディスプレイ１１の前面に露出するように配置されている。
【００２４】
次に、本実施形態に係るノート型パソコン１のパソコン本体１０に設けられるＵＳＢポート２について詳述する。
【００２５】
図１から図４に示すように、ＵＳＢポート２は、挿入口４と、収容部５と、ＵＳＢ操作部３と、コネクタ部としての雌コネクタ６と、を備えて構成されている。
【００２６】
図１に示すように、挿入口４は、ＵＳＢメモリＭを挿入させる開口であり、ＵＳＢメモリＭが挿入可能に矩形状に形成されている。また、挿入口４は、収容部５と連通されており、挿入口４から挿入されたＵＳＢメモリＭは、収容部５に収容される。
【００２７】
図２及び図３に示すように、収容部５は、ＵＳＢメモリＭの挿入方向（パソコン本体１０の正面１０ｂ側から背面１０ｃ側へ向かう方向であり、ＵＳＢメモリの接続方向をいう）に向かって延びる直方体状に形成されている。収容部５の挿入方向における長さは、ＵＳＢメモリＭの挿入方向における長さよりも長くなるように形成されている。つまり、収容部５は、ＵＳＢメモリＭの挿入方向における長さよりも収容部５の挿入方向における長さを長くすることにより、ＵＳＢメモリＭの全体を収容部５に収容可能としている。また、収容部５は、収容部５の挿入方向における長さを長く形成することにより種々の長さに形成されたＵＳＢメモリＭを収容することを可能としている。
【００２８】
また、収容部５の高さ方向（挿入方向と直交する方向であり、パソコン本体１０の厚さ方向）における長さは、ＵＳＢメモリＭの高さ方向における長さよりも若干長くなるように形成されている。また、収容部５の高さ方向における長さは、後述の係止爪６３を含む雌コネクタ６の高さ方向における長さよりも若干長くなるように形成されている。これにより、ＵＳＢメモリＭを収容可能となると共に、雌コネクタ６に対しては高さ方向における僅かなあそびができ、収容部５において雌コネクタ６をＵＳＢメモリＭの挿脱方向に移動させることが可能になる（図４（ａ）から図４（ｃ）参照）。
【００２９】
また、収容部５の幅方向（挿入方向及び高さ方向と直交する方向）における長さは、ＵＳＢメモリＭの幅方向における長さと略同じ長さになるように形成されている。つまり、収容部５は、幅方向においてＵＳＢメモリＭの幅方向の動きを規制する。
【００３０】
図４（ａ）から図４（ｃ）に示すように、収容部５の底部には、第１係止溝（係止部）５１と、第２係止溝（係止部）５２と、第３係止溝（係止部）５３と、第４係止溝（係止部）５４と、が設けられている。第１係止溝５１、第２係止溝５２、第３係止溝５３及び第４係止溝５４は、雌コネクタ６に設けられる係止爪（係止部）６３を挿入方向に対して係止可能に形成されており、収容部５における所定の位置で係止爪６３を係止可能に構成されている。
【００３１】
図４（ａ）に示すように、第１係止溝５１は、収容部５の挿入方向における挿入口４側に形成されている。具体的には、第１係止溝５１は、雌コネクタ６のコネクタ本体６０の接続口６０ａが挿入口４において露出可能な位置で雌コネクタ６の係止爪６３と係止するように形成されている。言い換えると、第１係止溝５１は、ＵＳＢメモリＭの雄コネクタＭ１と雌コネクタ６とが接続可能な位置で係止爪６３と係止されるように形成されている。
【００３２】
図４（ｃ）に示すように、第４係止溝５４は、収容部５の挿入方向における第１係止溝５１と反対側の端部に形成されている。具体的には、第４係止溝５４は、雄コネクタＭ１が雌コネクタ６に接続されたＵＳＢメモリＭの全体を収容可能な位置において係止爪６３と係止するように形成されている。
【００３３】
図４（ｂ）に示すように、第２係止溝５２及び第３係止溝５３は、第１係止溝５１と第４係止溝５４との間に設けられている。具体的には、第１係止溝５１と第４係止溝５４との間のうち、第２係止溝５２は第１係止溝５１側に設けられ、第３係止溝５３は第４係止溝５４側に設けられている。
【００３４】
収容部５の一方側の側壁には、ＵＳＢ操作部３が設けられている。ＵＳＢ操作部３は、収容部５と外部とを連通させており、収容部５に配置される雌コネクタ６に設けられるガイドレバー６２を外部に露出可能に形成されている。
【００３５】
また、図１に示すように、ＵＳＢ操作部３は、スライド部３０と、第１ロック部３１と、第２ロック部３２と、第３ロック部３３と、第４ロック部３４と、を備えて構成されている。スライド部３０は、ＵＳＢメモリＭの挿入方向及び取出方向（以下、「挿脱方向」という）に向かって縦長状に形成されており、ガイドレバー６２を挿脱方向に移動可能に形成されている。
【００３６】
第１ロック部３１は、スライド部３０からパソコン本体１０の下面（上面１０ａと対向する面）側に向かって切り欠き状に形成されており、パソコン本体１０の正面１０ｂ側におけるスライド部３０の端部に設けられている。第１ロック部３１は、係止爪６３が第１係止溝５１に係止された位置でのガイドレバー６２の挿脱方向への移動を規制する。つまり、第１ロック部３１は、第１係止溝５１に係止された雌コネクタ６の挿脱方向への移動を規制する。
【００３７】
第４ロック部３４は、スライド部３０からパソコン本体１０の下面側に向かって切り欠き状に形成されており、パソコン本体１０の背面１０ｃ側におけるスライド部３０の端部に設けられている。第４ロック部３４は、係止爪６３が第４係止溝５４に係止された位置でのガイドレバー６２の挿脱方向への移動を規制する。つまり、第４ロック部３４は、第４係止溝５４に係止された雌コネクタ６の挿脱方向への移動を規制する。
【００３８】
第２ロック部３２は、スライド部３０からパソコン本体１０の下面側に向かって切り欠き状に形成されており、第１ロック部３１と第３ロック部３３との間に設けられている。第２ロック部３２は、係止爪６３が第２係止溝５２に係止された位置でのガイドレバー６２の挿脱方向への移動を規制する。つまり、第２ロック部３２は、第２係止溝５２に係止された雌コネクタ６の挿脱方向への移動を規制する。
【００３９】
第３ロック部３３は、スライド部３０からパソコン本体１０の下面側に向かって切り欠き状に形成されており、第２ロック部３２と第４ロック部３４との間に設けられている。第３ロック部３３は、係止爪６３が第３係止溝５３に係止された位置でのガイドレバー６２の挿脱方向への移動を規制する。つまり、第３ロック部３３は、第３係止溝５３に係止された雌コネクタ６の挿脱方向への移動を規制する。
【００４０】
図４（ａ）及び図４（ｂ）に示すように、雌コネクタ６は、コネクタ本体６０と、ケーブル６１と、ガイドレバー６２と、係止爪６３と、を備えて構成されている。コネクタ本体６０には、接続口６０ａが設けられている。接続口６０ａは、雄コネクタＭ１が接続可能に形成されている。ケーブル６１は、コネクタ本体６０に連結されており、パソコン本体１０に収容された所定の基板に接続されている。
【００４１】
ガイドレバー６２は、コネクタ本体６０の一方側の側面に形成されている。ガイドレバー６２は、先端にノブ６２ａが設けられている。ノブ６２ａは、パソコン本体１０の側面に沿うように板状に形成されており、ユーザによるガイドレバー６２の挿脱方向への移動を補助する。係止爪６３は、コネクタ本体６０の下面に設けられている。係止爪６３は、第１係止溝５１、第２係止溝５２、第３係止溝５３及び第４係止溝５４に係止可能に形成されている。
【００４２】
次に、ＵＳＢポート２にＵＳＢメモリＭを装着させるときのＵＳＢポート２の動作について説明する。
【００４３】
まず、ユーザは、ＵＳＢメモリＭを接続させるために、雌コネクタ６を挿入口４側のスライド部３０の端部に移動させる。移動は、ガイドレバー６２を用いて行われる。具体的には、ユーザは、ノブ６２ａを把持してガイドレバー６２を挿入口４側に設けられる第１ロック部３１に移動させる。このとき、ユーザは、ガイドレバー６２をパソコン本体１０の上面１０ａ側に持ち上げるような状態でスライド部３０に沿って移動させる。ここで、収容部５の高さ方向における長さ（高さ）は、係止爪６３を含む雌コネクタ６の高さ方向における長さ（高さ）よりも若干長くなるように形成されている。そのため、ガイドレバー６２を上方に持ち上げるような状態にすることにより、第２係止溝５２、第３係止溝５３又は第４係止溝５４と係止爪６３との係止を解除することが可能になる。これにより、ユーザはガイドレバー６２をスライド部３０に沿って移動させることが可能になる。
【００４４】
ガイドレバー６２をスライド部３０の端部に移動させると、ユーザはガイドレバー６２を持ち上げるような状態をやめる。これにより、係止爪６３がスライド部３０の端部側に設けられた第１係止溝５１により係止される。係止爪６３が第１係止溝５１に係止されると、ユーザは、ガイドレバー６２を第１ロック部３１に移動させる。これにより、雌コネクタ６の挿脱方向における動きが規制され、雌コネクタ６が第１係止溝５１に固定支持される（図５（ａ）参照）。
【００４５】
雌コネクタ６が第１係止溝５１に固定支持されると、ユーザは、雌コネクタ６にＵＳＢメモリＭを接続させる。このとき、雌コネクタ６は、第１ロック部３１及び第１係止溝５１によりＵＳＢメモリＭの挿入方向への移動が規制されているため、容易にＵＳＢメモリＭの雄コネクタＭ１を雌コネクタ６に接続させることができる。
【００４６】
雄コネクタＭ１を雌コネクタ６に接続されると、ユーザは、ＵＳＢメモリＭを収容部５に収容させるために、ガイドレバー６２を上方に持ち上げるようにしてガイドレバー６２を第１ロック部３１からスライド部３０に移動させる。これにより、第１係止溝５１と係止爪６３との係止が解除される。第１係止溝５１と係止爪６３との係止が解除されると、ユーザは、ガイドレバー６２を持ち上げるようにしてスライド部３０に沿ってガイドレバー６２を挿入方向に移動させる。
【００４７】
このとき、本実施形態に係るノート型パソコン１には、第１係止溝５１、第２係止溝５２、第３係止溝５３及び第４係止溝５４の４つの係止溝が設けられているため、好ましい係止溝に係止爪６３を係止させて、固定支持させることが可能になる。例えば、ＵＳＢメモリＭの全体を収容したい場合には、第４係止溝５４に係止爪６３を係止させる。また、ＵＳＢメモリＭの一部を収容させたい場合においては、第２係止溝５２又は第３係止溝５３に係止爪６３を係止させる。
【００４８】
また、第２係止溝５２、第３係止溝５３及び第４係止溝５４のそれぞれの係止溝に係止させた場合には、第２係止溝５２に係止させた場合には、係止後にガイドレバー６２を第２ロック部３２に移動させ、第３係止溝５３に係止させた場合には、係止後にガイドレバー６２を第３ロック部３３に移動させ、第４係止溝５４に係止させた場合には、係止後にガイドレバー６４を第４ロック部３４に移動させる。これにより、それぞれの係止部において、雌コネクタ６を固定支持させることが可能になる。
【００４９】
前述した構成を有する本実施形態のノート型パソコン１によれば、以下に示す各効果が奏される。
【００５０】
本実施形態に係るノート型パソコン１は、雄コネクタＭ１を有するＵＳＢメモリＭの少なくとも一部を収容可能な収容部５が設けられている。そのため、例えば、ＵＳＢポート２がノート型パソコン１の正面１０ｂに設けられている場合において、ノート型パソコン１の使用の際に、ユーザが不用意にＵＳＢポート２に接続されたＵＳＢメモリに接触しそうな場合においても、ＵＳＢポート２の内部に収容することにより、接触を回避させることが可能になる。これにより、例えば、作業中にもかかわらずＵＳＢポートからＵＳＢが抜けてしまったり、不要な力がＵＳＢポートに作用してＵＳＢポートを破損させてしまったりすることを防止することが可能になる。
【００５１】
また、収容部５は、ＵＳＢメモリＭをＵＳＢメモリＭの挿脱方向に収容可能に形成されている。そのため、例えば、パーソナルコンピュータのように複数の接続部が設けられている情報処理装置においても、容易に収容スペースを確保することが可能になる。また、挿脱方向における収容深さをＵＳＢメモリＭの挿脱方向における長さよりも長く形成することにより、例えば、ＵＳＢの本体の長さが異なる場合においてもＵＳＢメモリの全体を収容させることが可能になる。
【００５２】
また、本実施形態においては、収容部５に第１係止溝５１、第２係止溝５２、第３係止溝５３、及び第４係止溝５４が形成されている。そのため、ＵＳＢメモリＭを収容部５に多段的に係止させることが可能になる。これにより、例えば、ＵＳＢメモリＭのＵＳＢ本体Ｍ２の全部を収容部５に収容させる必要がない場合においては、必要な部分のみ収容させることが可能になる。
【００５３】
また、ＵＳＢ本体Ｍ２の挿入方向における長さが短い場合においては、例えば、第２係止溝又は第３係止溝にＵＳＢメモリＭを係止させることにより、ＵＳＢメモリＭの全部を収容部５に収容させることが可能になる。更に、ＵＳＢメモリＭの挿入方向における長さが長い場合においても、収容部５の挿入方向における長さをＵＳＢメモリＭの長さよりも長くなるように形成してあるため、例えば、異なる長さのＵＳＢメモリＭを収容部５に収容させることが可能になる。
【００５４】
また、本実施形態においては、ＵＳＢメモリＭの挿脱方向における所定の位置で係止させる係止部として、挿入方向への移動を規制する係止爪６３と第１係止溝５１から第４係止溝５４を備えて構成されている。つまり、一方向のみの移動を規制するように構成されている。そのため、ＵＳＢメモリＭの取外方向には移動可能に構成されている。これにより、例えば、ＵＳＢポート２にＵＳＢデバイスを接続し、ＵＳＢデバイスに接続されたケーブルがＵＳＢポートから露出している場合にケーブルに不要な力が作用した場合においても、ガイドレバー６２をスライド部３０に位置させておくことにより、ケーブルが取出方向に移動可能に構成されているため、不意にＵＳＢデバイスが外れてしまったり、ＵＳＢポートが破損することを防止することが可能になる。
【００５５】
なお、本発明は、上記実施形態に何ら限定されることなく、本発明の技術的範囲はこれらに限定されるものではない。例えば、本実施形態においては、情報処理装置としてノート型パソコン１を用いて説明したが、本発明においてはこれに限らない。例えば、情報処理装置は、ＵＳＢポート２を有するデスクトップ型のパーソナルコンピュータを用いたものであってもよい。また、情報処理装置は、例えば、ＵＳＢポート２を有するＰＤＡ、ポータブルゲーム機、ポータブルナビゲーション装置、携帯電話機、ＰＨＳ（登録商標：Ｐｅｒｓｏｎａｌ  Ｈａｎｄｙ  ｐｈｏｎｅ  Ｓｙｓｔｅｍ）等であってもよい。すなわち、情報処理装置は、ＵＳＢポート２を有するものであればよい。
【００５６】
また、本実施形態においては、ＵＳＢをインターフェースとするＵＳＢメモリＭを用いて説明したが、本発明においてはこれに限らない。例えば、所定の機器との接続ケーブルとしてＵＳＢが用いられるＵＳＢインターフェイスケーブルであってもよい。
【００５７】
また、本実施形態においては、ＵＳＢメモリＭの排出機構として、ガイドレバー６２を手動で操作してＵＳＢメモリＭを収容部５から排出させる手動式のイジェクト機構を用いて説明したが、本発明においてはこれに限らない。例えば、図６に示すように、自動排出させることが可能なプッシュボタン７を有するプッシュ−プッシュ式のイジェクト機構を設け、プッシュボタン７を押圧することにより、ＵＳＢメモリＭをＵＳＢポート２から自動排出させる構成としてもよい。
【００５８】
また、本実施形態においては、雌コネクタ６を挿脱方向における所定の位置で係止させる係止部として、第１係止溝５１、第２係止溝５２、第３係止溝５３及び第４係止溝５４と、係止爪６３を設ける構成としたが、本発明においてはこれに限らない。例えば、第１ロック部３１、第２ロック部３２、第３ロック部３３及び第４ロック部３４と、ガイドレバー６２と、を係止部として構成してもよい。その場合においては、第１係止溝５１、第２係止溝５２、第３係止溝５３及び第４係止溝５４と、係止爪６３を省略することが可能になる。
【００５９】
また、本実施形態においては、第１係止溝５１、第２係止溝５２、第３係止溝５３及び第４係止溝５４は、雌コネクタ６に設けられる係止爪６３を挿入方向に係止可能に形成したが、本発明においてはこれに限らない。例えば、第１係止溝５１、第２係止溝５２、第３係止溝５３及び第４係止溝５４は、雌コネクタ６に設けられる係止爪６３を挿脱方向に係止可能な構成であってもよい。
【００６０】
また、本実施形態に係るノート型パソコン１は、正面１０ｂの端部にＵＳＢポート２を設ける構成としたが、本発明においてはこれに限らない。例えば、ノート型パソコン１の背面１０ｃに設ける構成であってもよく、一方側又は他方側の側面に設ける構成であってもよい。
【００６１】
また、本実施形態に係る雌コネクタ６に設けられる係止爪６３は、雌コネクタ６に固定した状態で設けたが、本発明においてはこれに限らない。例えば、係止爪６３は、弾性力を備え、雌コネクタ６に対して上下方向に弾性変形可能な構成を有するものであってもよい。
【００６２】
また、本実施形態においては、ＵＳＢポート２は、収容部５に収容される雌コネクタ６に挿脱方向に案内する案内部を設けない構成としたが、本発明においてはこれに限らない。例えば、雌コネクタ６を挿脱方向に案内する案内部を設ける構成としてもよい。また、ＵＳＢポート２に雌コネクタ６を露出可能な露出部を設け、露出部において、ユーザに案内させる構成であってもよい。
【図面の簡単な説明】
【００６３】
【図１】本発明の第１実施形態に係るノート型パソコンの外観構成を示す外観斜視図である。
【図２】前記実施形態に係るノート型パソコンのＵＳＢポートを模式的に示す断面図である。
【図３】前記実施形態に係るノート型パソコンのＵＳＢポートにＵＳＢメモリを収容した状態を模式的に示す断面図である。
【図４】（ａ）は、第１係止部で係止する雌コネクタを模式的に示す断面図であり、（ｂ）は、ＵＳＢメモリが接続された雌コネクタが収容部の内部を移動する状態を模式的に示す断面図であり、（ｃ）は、ＵＳＢメモリが接続された雌コネクタが第４係止部で係止する状態を模式的に示す断面図である。
【図５】（ａ）は、前記実施形態に係るＵＳＢポートを構成する雌コネクタを上方から見た外観斜視図であり、（ｂ）は、前記実施形態に係るＵＳＢポートを構成する雄コネクタを下方から見た外観斜視図である。
【図６】本発明の他の実施形態に係るノート側パソコンの外観構成を示す外観斜視図である。
【符号の説明】
【００６４】
１    ノート型パソコン（情報処理装置）
２    ＵＳＢポート
３    ＵＳＢ操作部（移動支持部）
４    挿入口
５    収容部
６    雌コネクタ（コネクタ部）
３０    スライド部
３１    第１ロック部
３２    第２ロック部
３３    第３ロック部
３４    第４ロック部
５１    第１係止溝（係止部）
５２    第２係止溝（係止部）
５３    第３係止溝（係止部）
５４    第４係止溝（係止部）
６２    ガイドレバー（移動支持部）
６３    係止爪（係止部）
Ｍ    ＵＳＢメモリ（ＵＳＢ）
Ｍ１    雄コネクタ（ＵＳＢコネクタ）
Ｍ２    ＵＳＢ本体
【図１】
2010113493.tif 000003
【図２】
2010113493.tif 000004
【図３】
2010113493.tif 000005
【図４】
2010113493.tif 000006
【図５】
2010113493.tif 000007
【図６】
2010113493.tif 000008